(57)【要約】 【課題】犬や猫などのような体毛に覆われていて汚れも多い動物の皮膚から、その必要な箇所の皮膚のサンプルを簡単に採取することのできる皮膚チェックシートを提供すること。【解決手段】本考案は、合成樹脂製の台紙シートの上に、つまみ部を有し、その裏面に易剥離性粘着剤を塗布した、２〜５枚の透明な合成樹脂製の試料採取片を貼り付けてなる動物用皮膚チェックシートである。【選択図】図１
0003142919.tif 000002
【実用新案登録請求の範囲】
【請求項１】
合成樹脂製の台紙シートの上に、つまみ部を有し、裏面に易剥離性粘着剤を塗布した、２〜５枚の透明な合成樹脂製の試料採取片を貼り付けてなる動物用皮膚チェックシート。
【請求項２】
易剥離性粘着剤が、その粘着力が２．０Ｎ／１０ｍｍ〜６．０Ｎ／１０ｍｍであることを特徴とする請求項１に記載の動物用皮膚チェックシート。
【考案の詳細な説明】
【技術分野】
【０００１】
本考案は、犬や猫などの体毛のある動物の皮膚の状態を検査するための皮膚チェックシートに関する。
【背景技術】
【０００２】
最近では犬や猫などの動物が家庭でペットとして飼育されることが多くなっている。このようなペットとして飼育が多くなるに伴って、これらの動物のさまざまな皮膚の傷害や皮膚病の問題もクローズアップされてきている。
【０００３】
特に、家庭で飼育されている犬では、アトピーなどの皮膚炎やその他のさまざまな皮膚の傷害が大きな問題となっている。犬は、一般にその身体を体毛で覆われていると同時に、その身体の表皮からさまざまな脂成分を分泌している。このような身体表皮に蓄積した脂成分を放置しておくと、周囲の環境からのほこりや泥、その他の種々の汚れ物質、アレルゲン物質などと一緒に蓄積し、脂成分が酸化され、ここに種々の細菌類が繁殖し、そのため痒みが発生したり皮膚病の原因となることが多い。犬の身体表皮には常在菌として、マラセチア菌、ぶどう球菌などが存在しており、これらが痒みや皮膚病の原因となることが多い。また、家ダニ、ハウスダストなどのアレルゲンによって痒みや皮膚病が発生することも多い。
【０００４】
しかし、犬や猫などのような動物は一般に身体が体毛に覆われていて、皮膚の状態を観察し、検査することは必ずしも容易ではない。このような皮膚の検査を行う簡便な方法として、従来から例えば市販の両面接着性の粘着性テープやシートなどを顕微鏡用のスライドガラスに貼り付け、これを動物の皮膚に押し当てて皮膚のサンプルを採取し、これを顕微鏡下で観察することが行われている。
【０００５】
しかし、このような検査方法は、激しく動き回ることが多く、かつ体毛に覆われていて汚れも多いこれらの動物の皮膚から皮膚のサンプルを採取することは必ずしも容易ではなかった。
【考案の開示】
【考案が解決しようとする課題】
【０００６】
本考案は、犬や猫などのような体毛に覆われていて汚れも多い動物の皮膚から、その必要な箇所の皮膚のサンプルを簡単に採取することのできる皮膚チェックシートを提供することを目的とするものである。
【課題を解決するための手段】
【０００７】
本考案者は、上記の状況に鑑み鋭意検討を進めた結果、一定の粘着性を有する粘着剤を塗布した複数枚の合成樹脂性のシートを使用し、これを同じ動物の箇所に繰り返して押し当てることによって、動物の皮膚の状態を知るための正確なサンプルを採取することができることを見出し、本考案を完成した。
【０００８】
本考案は、以下の内容をその要旨とするものである。
即ち、本考案は、合成樹脂製の台紙シートの上に、つまみ部を有し、裏面に易剥離性粘着剤を塗布した、２〜５枚の透明な合成樹脂製の試料採取片を貼り付けてなる動物用皮膚チェックシートである。
また、本考案は、試料採取片の裏面に塗布する易剥離性粘着剤が、その粘着力が２．０Ｎ／ｍｍ〜６．０Ｎ／ｍｍであることを特徴とする前記の動物用皮膚チェックシートである。
【考案の効果】
【０００９】
本考案の動物用皮膚チェックシートを用いることによって、体毛に覆われていて、かつ汚れも多い犬や猫などの動物に対して、その皮膚の傷害や皮膚病などのある箇所に、同一箇所に繰り返してチェックシートを押し当てることができ、簡便にかつ容易にその障害や皮膚病などのある箇所の皮膚の正確なサンプルを入手することができる。
【考案を実施するための最良の形態】
【００１０】
本考案の動物用皮膚チェックシートの一例を図１に示す。
本考案の動物用皮膚チェックシートは、合成樹脂製の台紙シート１の上に、つまみ部３を有し、かつ裏面に易剥離性の粘着剤４を塗布した透明な合成樹脂製の試料採取片２を並べて貼り付けたものである。図１では３枚の試料採取片２を設けたものを示している。
【００１１】
台紙シート１は、表面が平滑な合成樹脂製のシートであればよく、シートの材質は、例えばポリプロピレン樹脂、ポリエチレン樹脂、ポリエステル樹脂（ＰＥＴ樹脂）、ポリアクリル樹脂、ポリカーボネート樹脂、塩化ビニル樹脂などのシートが用いることができる。台紙シートは透明であっても、着色していても良いが、透明なものが好ましい。台紙シート１は、その上に試料採取片２を安定に保持することができるような剛性を有する材質と厚さがあれば特に制限されない。
【００１２】
試料採取片２は、その一部につまみ部３を有するとともに、その裏面に易剥離性の粘着剤４を塗布した透明な合成樹脂製のシートから成るものである。この試料採取片２の合成樹脂製シートは、シートとしての安定な形状を維持しつつ、かつ台紙シート１から容易に剥がすことができるとともに、検査対象の動物の皮膚に粘着剤層を容易に押し当てることができるように、適度の柔軟性、弾力性とともに剛性を有するものであることが必要である。
【００１３】
また、試料採取片２は、この裏面に塗布された易剥離性粘着剤４を検査対象の動物の皮膚に押し当てて、その被検動物の皮膚サンプルをここに接着させて採取し、得られた皮膚サンプルを顕微鏡で観察する。そのために試料採取片２は透明な合成樹脂製であることが必要である。試料採取片２の厚さは、上述のような適度の柔軟性、弾力性と剛性を有する程度の厚さであればよいが、一般的に０．０１〜２．０ｍｍ程度であれば良く、０．１〜１．０ｍｍがより好ましい。
このような試料採取片２として、具体的には、例えばポリプロピレン樹脂、ポリエチレン樹脂、ポリエステル樹脂（ＰＥＴ樹脂）、ポリアクリル樹脂、ポリカーボネート樹脂などのシートが用いることができる。
【００１４】
また、この試料採取片２には、その一部につまみ部３を有する。このつまみ部３は、台紙シート１から試料採取片２を剥がす際にそのつまみ用として用いるとともに、動物の皮膚に押し当て、皮膚サンプルを採取する際のさまざまな取り扱いのためのつまみとして用いることができる。つまみ部には、その台紙シートに貼られた複数の試料採取片２に対応して、採取した皮膚の試料の順番がわかるように、一連の通し番号５を付しておくことが好ましい。
【００１５】
試料採取片２の裏面に塗布する易剥離性粘着剤４は、台紙シート１に対して試料採取片２よりもより小さい粘着性を有し、台紙シート１からは容易に剥離するが試料採取片２に残留して粘着性を示す性質を有するものである。このような易剥離性粘着剤４としては、その粘着力が２．０Ｎ／ｍｍ〜６．０Ｎ／ｍｍであることが必要であり、３．５Ｎ／ｍｍ〜４．５Ｎ／ｍｍであることがより好ましい。なお、ここでいう粘着力はＪＩＳ規格のＪＩＳ Ｚ ０２３７による１８０度はく離粘着力である。
【００１６】
本考案の動物用皮膚チェックシートは、このような試料採取片２を２枚乃至５枚台紙シート１の上に任意の配列で貼り付けたものである。採取する皮膚試料の正確性と簡便さの観点から、台紙シート１上の試料採取片２の数は３〜４枚のものが好ましい。
【００１７】
本考案の動物用皮膚チェックシートは次のようにして使用する。即ち、まず番号ａの試料採取片２を台紙シートから剥がして、犬や猫などの被検動物の皮膚の検査を必要とする部分に押し当てる。引き続き番号ｂの試料採取片２を台紙シートから剥がして、被検動物の同じ箇所の皮膚に押し当てる。更に、続いて、同様に番号ｃの試料採取片２を被検動物の同じ箇所の皮膚に押し当てる。このような操作を皮膚の汚れその他の状態に応じて２〜５回繰り返す。
それぞれの試料採取片２の粘着剤面には被検動物の皮膚の細胞が付着しているので、これを細胞の染色剤にて染色して顕微鏡にて観察する。
【００１８】
一般に犬や猫などの被検動物の皮膚は、多くの体毛に覆われていると同時に埃その他さまざまな汚れ物質が付着している。従って、１回目のサンプルである番号ａの試料採取片２は多くの汚れ物質が付着しており、皮膚観察用のサンプルとしては不適当である。同様に、皮膚の汚れが大きい場合には２回目のサンプルである番号ｂの試料採取片２もまだ汚れ物質が残留しており好ましくない。汚れ物質の程度によるが、一般的に２回目以降、好ましくは３回目以降の試料採取片２で良好な皮膚サンプルが得られる。皮膚の汚れの程度に応じて、本考案の動物用皮膚チェックシートの試料採取片２が２枚のものから５枚のものを適宜使い分けて使用する。
【００１９】
このようにして採取した皮膚細胞を顕微鏡で観察すると、皮膚が荒れていたり、湿疹その他の皮膚傷害がある場合には、正常な皮膚では見出されない有核細胞が多く観察される。従って、このような動物の皮膚の状態を簡便かつ容易に観察することができ、獣医師などがその治療に役立てることができ、更には動物の飼い主にもその皮膚の状態をわかりやすく説明するための資料として使用することができる。
【産業上の利用可能性】
【００２０】
本考案の動物用皮膚チェックシートを用いることによって、獣医師や動物の飼い主が容易に、かつ簡便に動物の皮膚の状態を観察・診断することができる。従って、獣医師の治療用検査キットとして、また飼い主の皮膚診断用キットとして有用である。
【図面の簡単な説明】
【００２１】
【図１】本考案の動物用皮膚チェックシートの平面図と正面断面図である。
【符号の説明】
【００２２】
１．台紙シート
２．試料採取片
３．つまみ部
４．易剥離性粘着剤
５．通し番号
【図１】
0003142919.tif 000003